(57)【要約】【課題】什器と隣り合って配置される電力供給用什器であって、電力供給用什器自体の設置を容易にできるとともに、配線工事を効率的に行うことができる電力供給用什器及び什器システムを提供する。【解決手段】電力供給用什器１は、什器４と隣り合って設置される電力供給用什器１であって、床面Ｆ上に設置される支持体１０と、支持体１０に支持され、水平方向に延び、床面Ｆの上方に配置された横架材２０と、横架材２０に、横架材２０の延在方向に沿って設けられ、給電可能な給電部２２と、を備えることを特徴とする。【選択図】図１
2018038545.tif 000002
【特許請求の範囲】
【請求項１】
什器と隣り合って設置される電力供給用什器であって、
床面上に設置される支持体と、
該支持体に支持され、水平方向に延び、前記床面の上方に配置された横架材と、
該横架材に、前記横架材の延在方向に沿って設けられ、給電可能な給電部と、を備えることを特徴とする電力供給用什器。
【請求項２】
前記支持体の内部及び前記横架材の内部には、前記給電部に接続された配線が配置される配線挿通空間が形成されていることを特徴とする請求項１に記載の電力供給用什器。
【請求項３】
前記支持体は、前記横架材の前記延在方向に離間して一対設けられていることを特徴とする請求項１または２に記載の電力供給用什器。
【請求項４】
請求項１から３のいずれか一項に記載の電力供給用什器と、
該電力供給用什器と隣り合って配置された什器と、を備え、
前記給電部は、前記什器側を向いて配置されていることを特徴とする什器システム。
【請求項５】
前記什器は、上方を向く支持面を有し、
前記給電部は、前記支持面よりも上方の位置に配置されていることを特徴とする請求項４に記載の什器システム。
【請求項６】
前記電力供給用什器と前記什器とを連結する連結手段を備えることを特徴とする請求項４または５に記載の什器システム。
【請求項７】
前記連結手段は、前記電力供給用什器と前記什器との隣り合う方向を長手方向とする連結杆であることを特徴とする請求項６に記載の什器システム。
【請求項８】
前記什器は、
前記床面上に設置される脚部材と、
該脚部材に支持された座と、
前記脚部材に支持された背凭れと、を備えた椅子であり、
前記電力供給用什器は、前記什器の前記背凭れの背面側に配置され、
前記給電部は、前記背凭れよりも上方の位置に配置されていることを特徴とする請求項４から７のいずれか一項に記載の什器システム。
【請求項９】
前記給電部は、前記背凭れの背面側の位置に配置されていることを特徴とする請求項８に記載の什器システム。
【発明の詳細な説明】
【技術分野】
【０００１】
本発明は、電力供給用什器及び什器システムに関するものである。
【背景技術】
【０００２】
近年、ノート型ＰＣ（パーソナルコンピュータ）、タブレット端末、携帯型電話端末、スマートフォン等の電子機器の利用が進んできている。空港やオフィスビルのロビー等の不特定多数の人が集まる各種施設では、待ち時間等に、電子機器を充電したり、電子機器を使用して業務を行ったりすることが増え、施設に設置される椅子等に給電可能なＵＳＢ（Ｕｎｉｖｅｒｓａｌ  Ｓｅｒｉａｌ  Ｂｕｓ）コネクタ等が装備されつつある。
【０００３】
例えば、特許文献１には、床面に設置される脚体と、脚体に支持された座部と、脚体に支持され隣り合う座部の間に配置されたコンセントボックスと、を備え、コンセントボックスにコンセントが設けられた椅子が提案されている。
【０００４】
しかしながら、上記の特許文献１に記載の椅子等の什器では、着座者が着座状態で電子機器に給電を行う場合、前方に屈みこみながら、コンセントに電子機器のケーブルのコネクタを差し込む作業を行うため、差し込む作業がやりにくい。また、コンセントボックスの上側に設けられた天板にコンセントを設けるとすると、着座者が天板を利用して飲食をする場合には、天板の上に置かれた飲食物等がこぼれてコンセントが故障する可能性がある。
【０００５】
そこで、特許文献２に記載のように、上側に配置される壁面板と下側に配置される壁面板との間にコンセントが設けられた間仕切が提案されている。この間仕切を椅子やテーブル等の什器と隣り合って設置すると、什器の利用者の飲食物がコンセントに混入する可能性は低くなる。
【先行技術文献】
【特許文献】
【０００６】
【特許文献１】特開２０１６−２４３１号公報
【特許文献２】実用新案登録第２５６６７３５号公報
【発明の概要】
【発明が解決しようとする課題】
【０００７】
しかしながら、上記の特許文献２に記載の間仕切を設置しようとすると、床及び天井等に間仕切をネジや釘で固定する工事が必要であり、大掛かりな作業（施工）になってしまうという問題点がある。さらに、外部のブレーカーと間仕切のコンセントとを接続する配線を、間仕切の表裏面を形成する化粧板の間を通す必要があり、配線工事が複雑になるという問題点がある。さらには、間仕切と近接して他の什器が設置されている状況では、配線工事をするスペースを確保することが難しいという問題点がある。
【０００８】
本発明は、上記事情に鑑みてなされたものであり、什器と隣り合って配置される電力供給用什器であって、電力供給用什器自体の設置を容易にできるとともに、配線工事を効率的に行うことができる電力供給用什器及び什器システムを提供するものである。
【課題を解決するための手段】
【０００９】
本発明は、上記課題を解決するため、本発明は以下の手段を採用する。
すなわち、本発明に係る電力供給用什器は、什器と隣り合って設置される電力供給用什器であって、床面上に設置される支持体と、該支持体に支持され、水平方向に延び、前記床面の上方に配置された横架材と、該横架材に、前記横架材の延在方向に沿って設けられ、給電可能な給電部と、を備えることを特徴とする。
【００１０】
このように構成された電力供給用什器では、横架材が床面の上方に配置されているため、床面と横架材との間に空間が形成されている。よって、電力供給用什器を設置する際には、横架材の下側を手で持って運搬して、所定の箇所で支持体を床面上に設置すれば電力供給用什器は設置されるため、設置作業を容易にすることができる。
また、給電可能な給電部は、横架材に設けられている。よって、給電部と外部の電力源等を接続する際には、横架材と床面との間の上下方向に広がる空間に入り込んで作業をできるため、近接して什器が設置されている状況でも、横架材と床面との間の空間を利用して配線工事を行うことができる。
【００１１】
また、本発明に係る電力供給用什器は、前記支持体の内部及び前記横架材の内部には、前記給電部に接続された配線が配置される配線挿通空間が形成されていることが好ましい。
【００１２】
このように構成された電力供給用什器では、支持体の内部及び横架材の内部には、給電部に接続された配線が配置される配線挿通空間が形成されている。よって、配線は支持体の内部及び横架材の内部に配置されるため、配線の露出が抑制され、美観を損なわない什器とすることができる。また、配線が隣り合って配置された什器や利用者等と接触することがない。
【００１３】
また、本発明に係る電力供給用什器では、前記支持体は、前記横架材の前記延在方向に離間して一対設けられていてもよい。
【００１４】
このように構成された電力供給用什器では、支持体は横架材の延在方向に離間して一対設けられているため、給電部が設けられた横架材が安定的に支持される。
【００１５】
また、本発明に係る什器システムは、上記のいずれか一に記載の電力供給用什器と、該電力供給用什器と隣り合って配置された什器と、を備え、前記給電部は、前記什器側を向いて配置されていることを特徴とする。
【００１６】
このように構成された什器システムでは、給電部は電力供給用什器と隣り合って配置された什器側を向いて配置されているため、什器と利用する利用者は給電部に電子機器のケーブルを接続しやすく、利便性が高い。
【００１７】
また、本発明に係る什器システムでは、前記什器は、上方を向く支持面を有し、前記給電部は、前記支持面よりも上方の位置に配置されていることが好ましい。
【００１８】
このように構成された什器システムでは、什器は上方を向く支持面を有し、給電部は支持面よりも上方の位置に配置されているため、給電部及び給電部に接続された電子機器のケーブルが、什器の利用者にとって、支持面上の作業の邪魔になることがない。また、什器の利用者が飲食をする場合に、飲食物が給電部に混入することが抑制される。
【００１９】
また、本発明に係る什器システムは、前記電力供給用什器と前記什器とを連結する連結手段を備えていてもよい。
【００２０】
このように構成された什器システムでは、電力供給用什器と什器とは連結手段で連結されているため、電力供給用什器を什器で安定的に支持することができる。よって、横架材が高い位置に配置されていても、什器が転倒する虞がない。また、給電部に対して電子機器のケーブルの抜き差し作業を行う際に、電力供給用什器が妄りに動かない。
【００２１】
また、本発明に係る什器システムでは、前記連結手段は、前記電力供給用什器と前記什器との隣り合う方向を長手方向とする連結杆であってもよい。
【００２２】
このように構成された什器システムでは、電力供給用什器と什器との離間寸法が、これらを連結する連結杆の長さ分（長手方向の長さ分）で一定に保たれる。よって、電力供給用什器と什器との間で、メンテナンス作業や什器の裏側（電力供給用什器側）に落とした物を拾う動作等を行う際に、十分な空間が確保され障害がない。
【００２３】
また、本発明に係る什器システムでは、前記什器は、前記床面上に設置される脚部材と、該脚部材に支持された座と、前記脚部材に支持された背凭れと、を備えた椅子であり、前記電力供給用什器は、前記什器の前記背凭れの背面側に配置され、前記給電部は、前記背凭れよりも上方の位置に配置されていてもよい。
【００２４】
このように構成された什器システムでは、電力供給用什器は椅子の背凭れの背面側に配置されているため、座に着座した着座者は着座したまま電子機器のケーブルを給電部に接続して充電できる。また、給電部は背凭れよりも上方の位置に配置されているため、給電部及び給電部に接続された電子機器のケーブルが、着座者にとって邪魔になることがない。
【００２５】
また、本発明に係る什器システムでは、前記給電部は、前記背凭れの背面側の位置に配置されていてもよい。
【００２６】
このように構成された什器システムでは、給電部は背凭れの背面側の位置に配置されているため、給電部に接続された電子機器のケーブルは、座に着座する着座者の背面側（後方）から前方に向かって延び電子機器に接続される。つまり、ケーブルは例えば前後方向に延びるだけであり、取り回しがスムーズである。
【発明の効果】
【００２７】
本発明に係る電力供給用什器及び什器システムによれば、什器と隣り合って配置される電力供給用什器であって、電力供給用什器自体の設置を容易にできるとともに、配線工事を効率的に行うことができる。
【図面の簡単な説明】
【００２８】
【図１】本発明の第一実施形態に係る什器システムを前方から見た斜視図である。
【図２】本発明の第一実施形態に係る什器システムを後方から見た斜視図である。
【図３】本発明の第一実施形態に係る什器システムの側面図である。
【図４】本発明の第一実施形態に係る什器システムの平面図である。
【図５】本発明の第一実施形態に係る什器システムの後面図である。
【図６】本発明の第二実施形態に係る什器システムの側面図である。
【図７】本発明の第二実施形態に係る什器システムの平面図である。
【図８】本発明の第二実施形態に係る什器システムの後面図である。
【図９】本発明の第三実施形態に係る什器システムの側面図である。
【図１０】本発明の第三実施形態に係る什器システムの平面図である。
【図１１】本発明の第三実施形態に係る什器システムの後面図である。
【発明を実施するための形態】
【００２９】
以下、添付図面を参照して、本発明に係る什器システムを実施するための形態を説明する。しかし、本発明はこれらの実施形態のみに限定されるものではない。
【００３０】
（第一実施形態）
図１は、本発明の第一実施形態に係る什器システムを前方から見た斜視図である。図２は、本発明の第一実施形態に係る什器システムを後方から見た斜視図である。図３は、本発明の第一実施形態に係る什器システムの側面図である。図４は、本発明の第一実施形態に係る什器システムの平面図である。図５は、本発明の第一実施形態に係る什器システムの後面図である。
図１から図５に示すように、什器システム１００は、電力供給ユニット（電力供給用什器）１と、電力供給ユニット１を挟んで両側に設けられた椅子ユニット（什器、椅子）４と、電力供給ユニット１と椅子ユニット４とを連結する連結フレーム（連結手段、連結杆）８と、を備えている。図１、図２及び図５では片側の椅子ユニット４の図示を省略し、図３、図４及び図５では、椅子ユニット４を二点鎖線で示している。
以下の説明において、便宜上、椅子ユニット４の座６０に着座した着座者が前を向く方向を「前方」、その反対方向を「後方」、「背面側」と称する。また、椅子ユニット４が設置される床面Ｆ側とその反対側を結ぶ方向を「上下方向」と称する。また、椅子ユニット４及び電力供給ユニット１の幅方向、つまり前後方向と直交する水平方向を「幅方向」と称する。
【００３１】
（電力供給ユニット）
電力供給ユニット１は、床面Ｆ上に設置される一対の支柱（支持体）１０と、一対の支柱１０の上端部どうしを連結する上ビーム（横架材）２０及び下ビーム３０と、を有している。
【００３２】
一対の支柱１０は、電力供給ユニット１の幅方向に離間して配置されている。各支柱１０は円筒状に形成され、内部は後述する接続ポート２２に接続された配線Ｈ１（図２参照）が配置される配線挿通空間１０Ｓとされている。支柱１０の下端部には、高さ調整機能を有するアジャスター１３が設けられている。
【００３３】
支柱１０の側面（電力供給ユニット１の幅方向外側の面）には、下部に配線穴１１（図３参照）が設けられている。当該配線穴１１には、配線穴キャップ１２が設けられている。
【００３４】
上ビーム２０は、水平方向（電力供給ユニット１の幅方向）に延び、一対の支柱１０の上端どうしを連結している。支柱１０は角筒状に形成されている。
【００３５】
上ビーム２０における椅子ユニット４側を向く取付板部２３には、不図示の開口が設けられ、当該開口にはコンセントボックス２１が配置されている。本実施形態では、コンセントボックス２１は、上ビーム２０に、電力供給ユニット１の幅方向に離間して２箇所に設けられている。
【００３６】
コンセントボックス２１には、電子機器の電源プラグが接続可能なポートや、ＵＳＢケーブルの端部に設けられたコネクタが接続可能なポート等の接続ポート（給電部）２２が設けられている。
【００３７】
上ビーム２０の内部には、不図示のブレーカーが設けられている。上ビーム２０の内部は、接続ポート２２やブレーカーに接続された配線Ｈ１が配置される配線挿通空間２０Ｓ（図２参照。）とされている。上ビーム２０の配線挿通空間２０Ｓと支柱１０の配線挿通空間１０Ｓとは、連結部分で連通している。
【００３８】
上ビーム２０の内部に配置された配線Ｈ１は、支柱１０との連結部分から支柱１０内を通り、支柱１０の下部に設けられた配線穴１１から外部に出て、床下等に配置可能とされている。
【００３９】
下ビーム３０は、水平方向（電力供給ユニット１の幅方向）に延び、一対の支柱１０の上下方向の中間よりも上側の箇所どうしを連結している。一対の支柱１０は上ビーム２０及び下ビーム３０で連結されることで、支柱１０の上端部どうしが電力供給ユニット１の幅方向に開くことが抑制される。
【００４０】
（椅子ユニット）
各椅子ユニット４は、床面Ｆ上に設置される脚部材４０と、脚部材４０に支持された基板５０と、基板５０に支持された座６０及び背凭れ７０と、を有している。本実施形態では、椅子ユニット４は、３人が着座可能な構成とされている。
【００４１】
脚部材４０は、椅子ユニット４の幅方向に離間して配置される一対の側脚４１と、一対の側脚４１どうしを連結する脚ビーム４６と、を有している。
【００４２】
各側脚４１は、側面視で下向きＶ字状に配置された一対の脚部４２を有している。前側の脚部４２は下方に向かうにしたがって次第に前方に向かうように傾斜し、後側の脚部４２は下方に向かうにしたがって次第に後方に向かうように傾斜している。各脚部４２の下端部には、高さ調整機能を有するアジャスター４３が設けられている。
【００４３】
基板５０は、座６０を支持する座板部５１と、背凭れ７０を支持する背板部５２と、を有している。本実施形態では、基板５０は、３セット設けられている。基板５０は脚部材４０に支持されている。
【００４４】
座６０及び背凭れ７０は、それぞれ座板部５１及び背板部５２に支持され、弾力性を有するクッッション材で構成されている。座６０の上面は、着座者を支持する支持面６１とされている。背凭れ７０及び背板部５２は、上方に向かうにしたがって次第に後方に向かうように傾斜している。
【００４５】
図３及び図４に示すように、椅子ユニット４は、電力供給ユニット１と前後方向に間隔を有して配置されている。具体的には、背凭れ７０の後端部（上端部）７２及び後側の脚部４２の後端部（下端部）４４は、電力供給ユニット１よりも前方に配置されている。
【００４６】
図１及び図３に示すように、電力供給ユニット１の接続ポート２２は、座６０の支持面６１よりも上方の位置、且つ背凭れ７０の後端部（上端部）７２よりも上方の位置に配置されている。
【００４７】
（連結フレーム）
連結フレーム８は、電力供給ユニット１の支柱１０と椅子ユニット４の脚ビーム４６とを連結している。連結フレーム８は、支柱１０の上下方向の中間よりも下側の箇所に連結されている。連結フレーム８は、電力供給ユニット１と椅子ユニット４とが隣り合う方向（前後方向）を長手方向とする連結杆である。
【００４８】
このように構成された什器システム１００では、上ビーム２０が床面Ｆの上方に配置されているため、床面Ｆと上ビーム２０との間に空間Ｓ（図２参照）が形成されている。よって、電力供給ユニット１を設置する際には、上ビーム２０の下側を手で持って運搬して、所定の箇所で支柱１０を床面Ｆ上に設置すれば電力供給ユニット１は設置されるため、設置作業を容易にすることができる。また、空間Ｓに入り込んで、支柱１０の下端部を床面Ｆに不図示のボルトで固定する作業をすることもできる。
【００４９】
また、給電可能な接続ポート２２は、上ビーム２０に設けられている。よって、接続ポート２２と外部の電力源等を接続する際には、上ビーム２０と床面Ｆとの間の上下方向に広がる空間Ｓに入り込んで作業をできるため、近接して椅子ユニット４等の什器が設置されている状況でも、上ビーム２０と床面Ｆとの間の空間Ｓを利用して配線工事を行うことができる。
【００５０】
また、支柱１０の内部及び上ビーム２０の内部には、接続ポート２２に接続された配線Ｈ１が配置される配線挿通空間１０Ｓ，２０Ｓが形成されている。よって、配線Ｈ１は支柱１０の内部及び上ビーム２０の内部に配置されるため、配線Ｈ１の露出が抑制され、美観を損なわない什器とすることができる。また、配線Ｈ１が隣り合って配置された椅子ユニット４や利用者等と接触することがない。
【００５１】
また、支柱１０は上ビーム２０の延在方向（電力供給ユニット１の幅方向）に離間して一対設けられているため、接続ポート２２が設けられた上ビーム２０が安定的に支持される。
【００５２】
また、接続ポート２２は電力供給ユニット１と隣り合って配置された椅子ユニット４側を向いて配置されているため、椅子ユニット４の着座者は接続ポート２２に電子機器のケーブルを接続しやすく、利便性が高い。
【００５３】
また、電力供給ユニット１は椅子の背凭れ７０の後方に配置されているため、座６０に着座した着座者は着座したまま電子機器のケーブルを接続ポート２２に接続して充電できる。また、接続ポート２２は支持面６１よりも上方の位置、且つ背凭れ７０よりも上方の位置に配置されているため、接続ポート２２及び接続ポート２２に接続された電子機器のケーブルが、着座者にとって邪魔になることがない。着座者が飲食をする場合に、飲食物が接続ポート２２に混入することが抑制される。
【００５４】
また、電力供給ユニット１と椅子ユニット４とは連結フレーム８で連結されているため、電力供給ユニット１を椅子ユニット４で安定的に支持することができる。よって、上ビーム２０が高い位置に配置されていても、電力供給ユニット１が転倒する虞がない。また、接続ポート２２に対して電子機器のケーブルの抜き差し作業を行う際に、電力供給ユニット１が妄りに動かない。
【００５５】
また、電力供給ユニット１と椅子ユニット４との離間寸法が、これらを連結する連結フレーム８の長さ分（長手方向の長さ分）で一定に保たれる。よって、電力供給ユニット１と椅子ユニット４との間で、メンテナンス作業や椅子ユニット４の裏側（電力供給ユニット１側）に落とした物を拾う動作等を行う際に、十分な空間が確保され障害がない。
【００５６】
また、接続ポート２２は背凭れ７０の後方の位置に配置されているため、接続ポート２２に接続された電子機器のケーブルは、座６０に着座する着座者の後方から前方に向かって延び電子機器に接続される。つまり、ケーブルは例えば前後方向に延びるだけであり、取り回しがスムーズである。
【００５７】
（第二実施形態）
次に、本発明に係る什器システムの第二実施形態について説明する。なお、以下に説明する実施形態においては、上記第一実施形態と共通する構成については図中に同符号を付してその説明を省略する。
図６は、本発明の第二実施形態に係る什器システムの側面図である。図７は、本発明の第二実施形態に係る什器システムの平面図である。図８は、本発明の第二実施形態に係る什器システムの後面図である。
図６から図８に示すように、上記に示す第一実施形態では電力供給ユニット１と椅子ユニット４とは連結フレーム８で連結されているが、本実施形態に係る什器システム１００Ｘでは、電力供給ユニット１と椅子ユニット４とは連結されずそれぞれ独立している。床面Ｆ上に設置プレート１４が設けられ、設置プレート１４上に支柱１０が設けられている。設置プレート１４は、前後方向に所定の長さを有している。
【００５８】
（第三実施形態）
次に、本発明に係る什器システムの第三実施形態について説明する。
図９は、本発明の第三実施形態に係る什器システムの側面図である。図１０は、本発明の第三実施形態に係る什器システムの平面図である。図１１は、本発明の第三実施形態に係る什器システムの後面図である。
図９から図１１に示すように、本実施形態に係る什器システム１００Ｙでは、第二実施形態と同様に、電力供給ユニット１は椅子ユニット４とは連結されずそれぞれ独立している。また、電力供給ユニット１は、床面Ｆ上に設置される支持体１５と、支持体１５に設けられた上ビーム２０及び中間ビーム２４と、を有している。
【００５９】
支持体１５は、電力供給ユニット１の幅方向に離間して配置された一対の支持脚１６と、一対の支持脚１６の上部どうしを連結する下ビーム１７と、下ビーム１７の両端部にそれぞれ下端部が連結され上下方向に延びる縦フレーム１８と、を有している。
【００６０】
上ビーム２０は、電力供給ユニット１の幅方向に離間して配置された一対の縦フレーム１８の上端部どうしを連結している。中間ビーム２４は、電力供給ユニット１の幅方向に離間して配置された一対の縦フレーム１８の上下方向の中間部どうしを連結している。
【００６１】
（その他の実施形態）
なお、本発明に係る什器システムは、図面を参照して説明した上述の各実施形態に限定されるものではなく、その技術的範囲において様々な変形例が考えられる。
例えば、什器として３人掛けの椅子ユニット４を例に挙げて説明したが、着座人数は適宜設置可能である。さらに、什器として、上面が作業面とされたテーブル、デスクやカウンター等であってもよい。
また、電力供給用什器は、他の什器と隣り合って配置されておらず、単独で設置されていてもよい。
また、椅子等の什器が一台（一人分）設置されていて、電力供給用什器がこれに対応して給電部が一箇所だけ設けられた構成であってもよい。
これ以外にも、本発明の主旨を逸脱しない限り、上記実施の形態で挙げた構成を取捨選択したり、他の構成に適宜変更したりすることが可能である。
【符号の説明】
【００６２】
１…電力供給ユニット（電力供給用什器）
４…椅子ユニット（什器、椅子）
８…連結フレーム（連結手段、連結杆）
１０…支柱（支持体）
１０Ｓ，２０Ｓ…配線挿通空間
１１…配線穴
１２…配線穴キャップ
２０…上ビーム（横架材）
２１…コンセントボックス
２２…接続ポート（給電部）
３０…下ビーム
４０…脚部材
４１…側脚
４２…脚部
４６…脚ビーム
５０…基板
５１…座板部
５２…背板部
６０…座
６１…支持面
７０…背凭れ
１００…什器システム
Ｆ…床面
Ｈ１…配線
【図１】
2018038545.tif 000003
【図２】
2018038545.tif 000004
【図３】
2018038545.tif 000005
【図４】
2018038545.tif 000006
【図５】
2018038545.tif 000007
【図６】
2018038545.tif 000008
【図７】
2018038545.tif 000009
【図８】
2018038545.tif 000010
【図９】
2018038545.tif 000011
【図１０】
2018038545.tif 000012
【図１１】
2018038545.tif 000013